(57)【特許請求の範囲】
【請求項１】
オーディオデータがサブヘッダとデータ領域を有するユーザデータからなるセクタ単位で記録され、前記セクタのユーザデータのサブヘッダにコピー許可回数情報が収納されるようにフォーマッティングされ、このフォーマッティングされたデータと前記オーディオデータに関するＩＳＲＣコード及びコピー禁止コード及び前記コピー許可回数情報を含む著作権情報とをＤＶＤフォーマットとしてＤＶＤに記録され、この記録されたＤＶＤをユーザ側の再生装置により再生してユーザ側の記録装置により他の記録媒体にコピーする場合にそのコピーされる情報に対して課金するＤＶＤの著作権料課金方法であって、
前記再生装置と記録装置の少なくともいずれかからインターネットを介して接続されたホスト装置に前記著作権情報の少なくともＩＳＲＣコードを送信するステップと、
前記ホスト装置が前記著作権情報に基づきコピーを許可する場合に、そのコピーに対してユーザに課金するステップと、
前記ユーザ側の再生装置からユーザ側の記録装置に所定のシリアルインタフェースにより前記コピーが行われる場合、前記ＤＶＤの著作権情報の前記コピー許可回数情報が消去され、コピー禁止コードがコピー禁止に変更されてコピーされるステップと、
からなるＤＶＤの著作権料課金方法。
【発明の詳細な説明】
【０００１】
【発明の属する技術分野】
本発明は、ＤＶＤ（デジタルビデオディスク）に記録された情報を再生、コピーする場合にその情報に対する著作権料を課金するＤＶＤの著作権料課金方法に関し、また、不正に製造される複製物（いわゆる海賊盤）を抑制することができるＤＶＤの著作権料課金方法に関する。
【０００２】
【従来の技術】
一般に、ＤＶＤには高品質の映像、音声、データを記録することができるので、映像、音声、データの著作権を不法な複製物（いわゆる海賊盤）から保護する必要がある。著作権保護方法としてはあらかじめ著作権管理情報をスクランブルしてディスクに記録し、著作権管理情報の一部をコピープロテクトキーとして用いることにより、再生器側がコピープロテクトキーを正常に読み取った場合に再生を行ったり、デジタル出力を行い、他方、正常に読み取ることができない場合にはそのディスクが不法にコピーされたものとして再生を行わなかったり、再生は行うがデジタル出力は行わない方法が考えられる。
【０００３】
【発明が解決しようとする課題】
ところで、ユーザがＤＶＤを再生する際に著作権者側が課金するためにＤＶＤにあらかじめ記録されるコピープロテクトキー、いわゆる「暗号キー」は取扱い易い方がよい。また、特別な「暗号キー」をディスクの製造毎に発行すると、「暗号キー」の有効性を確認する処理が複雑化、困難になり、したがって、管理が非常に面倒になる。
【０００４】
本発明は上記従来の問題点に鑑み、また、簡単なコピープロテクトキーで課金することができ、また、不正に製造される複製物（いわゆる海賊盤）を抑制することができるＤＶＤの著作権料課金方法を提供することを目的とする。
【０００５】
【課題を解決するための手段】
本発明は、上記目的を達成するために、
オーディオデータがサブヘッダとデータ領域を有するユーザデータからなるセクタ単位で記録され、前記セクタのユーザデータのサブヘッダにコピー許可回数情報が収納されるようにフォーマッティングされ、このフォーマッティングされたデータと前記オーディオデータに関するＩＳＲＣコード及びコピー禁止コード及び前記コピー許可回数情報を含む著作権情報とをＤＶＤフォーマットとしてＤＶＤに記録され、この記録されたＤＶＤをユーザ側の再生装置により再生してユーザ側の記録装置により他の記録媒体にコピーする場合にそのコピーされる情報に対して課金するＤＶＤの著作権料課金方法であって、
前記再生装置と記録装置の少なくともいずれかからインターネットを介して接続されたホスト装置に前記著作権情報の少なくともＩＳＲＣコードを送信するステップと、
前記ホスト装置が前記著作権情報に基づきコピーを許可する場合に、そのコピーに対してユーザに課金するステップと、
前記ユーザ側の再生装置からユーザ側の記録装置に所定のシリアルインタフェースにより前記コピーが行われる場合、前記ＤＶＤの著作権情報の前記コピー許可回数情報が消去され、コピー禁止コードがコピー禁止に変更されてコピーされるステップと、
からなるＤＶＤの著作権料課金方法を提供する。
【００１０】
【発明の実施の形態】
以下、図面を参照して本発明の実施の形態を説明する。図１は本発明に係るＤＶＤの著作権料課金方法の一実施形態を実現するためのフォーマットを示す説明図、図２は図１の著作権管理情報の内容を詳しく示す説明図である。
【００１１】
図１はディスクの一例としてＤＶＤ−オーディオのリードイン部の記録フォーマットを示している。ディスクのエリアは、概略的に内周から外周に向かってＰＣＡ（ポスト・カッティング・エリア）部、リードイン部、データ部、リードアウト部により構成され、また、１セクタは２０４８バイトで構成されている。リードイン部のコントロールエリアは１６セクタ「１」〜「１６」で構成され、セクタ「１」には物理フォーマット情報が記録され、セクタ「２」にはディスク製造情報が記録され、セクタ「３」及び「４」には図２に詳しく示すような著作権情報が記録される。
【００１２】
セクタ「３」及び「４」の１バイト目には４ビットのコピー禁止コードが記録される。コピー禁止コードは「１０００」が「コピー禁止」、「１１００」が「コピー可」、「１０１０」が「コピー１回可」を表す（他はリザーブ）。２バイト目から１８バイト目は楽曲（プログラムソース）を示すＩＳＲＣ（国際標準レコーディングコード：International Standard Recording Code ）コード及びディスク製作者を示すＳＩＤ（ソースＩＤ）コードの領域である。２バイト目には８ビットのＩＳＲＣコード及びＳＩＤコードのスクランブル用同期信号が記録され、３バイト目から１０バイト目には６０ビットのＩＳＲＣコードがスクランブルされて記録され、１１〜１８バイト目以降には８文字分のＳＩＤコードがスクランブルされて記録される。
【００１３】
以下同様に、１６バイト分に１タイトル分のＩＳＲＣコード及びＳＩＤコードが記録され、合計９９タイトル分が記録される。なお、ＩＳＲＣコード及びＳＩＤコードの両方をスクランブルする代わりにＳＩＤコードのみをスクランブルするようにしてもよい。なお、図２においてＳＩＤコードの一例として示す「ＩＦＰＩＬ・２３１〜７」は、「ＩＦＰＩ」が国際レコード・ビデオ製作者連盟（International Federation of Phonogram Industries、現名はInternational Federation of Phonogram and Video Industries）を示し、「Ｌ２３１〜７」が日本ビクター株式会社のＩＦＰＩマスタリングコードを示している。また、ＩＳＲＣコードは１２文字で構成され、第１〜第５文字は６ビット、第６〜第１２文字は４ビットで構成されている（６ビット分はブランク）。
【００１４】
図３は他の例のフォーマットを示している。このフォーマットでは、セクタではなく、ディスクのリードイン部に１６バイト（１２８ビット）ないし１８８バイト（１５０４ビット）の可変長の著作権管理情報（ＣＭＩ）エリアを設ける。そして、このＣＭＩエリアに例えば６４ビットのディスク製造年月日データと、５２ビットの工場コードと、８ビットのスクランブル用同期信号と、６０ビットのＩＳＲＣコードと、８バイトのＳＩＤコードと、コピー許可回数を示す４ビットのＣＧＭＣＡＰＳ（Copy Generation Management Control Audio Protection System）コードが記録される。このデータは数回繰り返して記録され、また、ＩＳＲＣコードとＳＩＤコードがスクランブルされて記録される。更に、このＣＭＩエリアはリードイン部のコントロールデータ領域をあらかじめＲＡＭ領域として製造しておいて記録する。
【００１５】
図４は更に他の例のフォーマットを示している。このフォーマットでは、図３に示す場合と同様にディスクのリードイン部に１６バイト（１２８ビット）ないし１８８バイト（１５０４ビット）の可変長のＣＭＩエリアを設け、このＣＭＩエリアに８バイトのＳＩＤコードをスクランブルするために、ＳＩＤコードの後にダミーのディスク製造年月日を配置してこれを含めてスクランブルするか又はＳＩＤコードのみをスクランブルして記録する。また、このＣＭＩエリアも同様にあらかじめＲＡＭ領域として製造しておいて記録する。ここで、コントロールデータのスクランブル方法は、ディスクのデータ部に記録されるプログラムソースをスクランブルする方法と同一方法を用いてもよく、また、他の方法でもよい。
【００１６】
図５は本発明に係るＤＶＤの著作権料課金方法の一実施形態を実現するための主要装置を示すブロック図、図６はＤＶＤ−オーディオを作製するためのエンコーダを示すブロック図、図７は図６の２つのＡ／Ｄコンバータのサンプリング周期及びデータ列を示す説明図、図８は図６のパッキングエンコーダによりパッキングされたユーザ・データを示す説明図、図９は図５の記録再生装置内のデコーダを示すブロック図、図１０は図９のデコーダによりデコードされたデータ列及びサンプリング周期を示す説明図、図１１は図５の記録再生装置内のエンコーダを詳細に示すブロック図、図１２は図５の変換器を詳細に示すブロック図、図１３はコピー時の図５のホストの処理を説明するためのフローチャート、図１４は再生時の図５のホストの処理を説明するためのフローチャート、図１５は再生／コピー時の図５のホストの処理を説明するためのフローチャートである。
【００１７】
図５において、著作権者のアナログ情報は合法的にエンコーダＥＮＣ２によりエンコードされ、記録媒体４０１を介してユーザに供給される。ユーザは同一の構成の記録再生装置５００ａ、５００ｂを保有することができ、また、記録再生装置５００ａをコピー元、記録再生装置５００ｂをコピー先として真正なユーザが真正な媒体４０１から後述するように図１２に詳しく示す変換器２００ａ、２００ｂを介して、また、直接に接続してコピーしたり、再生のみを行うことができる。
【００１８】
記録再生装置５００ａ、５００ｂとしては例えばＤＶＣ（デジタルビデオカムコーダー）の他、ＶＨＳビデオを基盤とした新ＶＨＳフォーマットをスタンダードモードとして、圧縮などのエンコードされたままのビットストリームを記録可能なＤ−ＶＨＳ−ＶＴＲを用いることができる。この記録再生装置５００ａ、５００ｂはともに図９に詳しくデコーダＤＥＣ２と図１１に詳しくエンコーダＥＮＣ２’を有する。
【００１９】
そして、記録再生装置５００ａをコピー元とし、記録再生装置５００ｂをコピー先としてコピーする場合や、記録再生装置５００ａ又は５００ｂを用いて再生する場合には、変換器２００ａ、２００ｂ、ＩＥＥＥ１３９４ホストアダプタ６０４及びパソコン本体６０５を有するパーソナルコンピュータ（以下、パソコン）６０３と、例えばＩＣカード式のカード読取装置６０６及び「ＥＭＶ」統一規格のカード型電子マネー６０７を用い、インターネットなどの通信回線を介して著作権徴収側のホスト装置６０８に対して録音許可要求信号や再生許可要求信号を送信する。
【００２０】
次に、図６を参照してＤＶＤ−オーディオを作製するためのエンコーダＥＮＣ２の構成を説明する。入力端子１には例えば音声信号のようなアナログ信号が入力し、この入力信号はＡ／Ｄコンバータ２、３に印加される。Ａ／Ｄコンバータ２、３にはそれぞれ、クロック発生器５から比較的低いサンプリング周波数、例えば４８ｋＨｚのサンプリングクロックｆと、比較的高いサンプリング周波数、例えば９６ｋＨｚのサンプリングクロック２ｆが印加される。
【００２１】
Ａ／Ｄコンバータ２は図７に示すように４８ｋＨｚのサンプリングクロックｆの周期で入力信号をサンプリングし、
ｘa1，ｘa2，ｘa3，・・・，ｘai，・・・
のような比較的低品質のデジタルデータ列ｘaiに変換する。また、Ａ／Ｄコンバータ３は図７に示すように９６ｋＨｚのサンプリングクロック２ｆの周期で入力信号をサンプリングし、
（ｘb1，ｘc1），（ｘb2，ｘc2），（ｘb3，ｘc3，）
・・・，（ｘbi，ｘci，）・・・
のような比較的高品質のデジタルデータ列（ｘbi，ｘci，）に変換する。
【００２２】
ここで、データ列（ｘbi，ｘci）の内、データ列ｘbiのサンプリング位置は４８ｋＨｚによるデータ列ｘaiと同一であり、また、データ列ｘciのサンプリング位置は４８ｋＨｚによるデータ列ｘaiの中間位置である。なお、このサンプリングデータは例えば２４ビットの分解能で変換される。
【００２３】
Ａ／Ｄコンバータ３によりＡ／Ｄ変換されたデータ列（ｘbi，ｘci）はスイッチ４に印加され、クロック発生器５からの９６ｋＨｚのサンプリングクロック２ｆに基づいてデータ列ｘaiと同一サンプリング位置のデータ列ｘbiのみが選択され、データ列ｘaiの中間サンプリング位置のデータ列ｘciは間引かれる。差分計算器６ではＡ／Ｄコンバータ２によりＡ／Ｄ変換されたサンプリングデータｘaiと、スイッチ４により選択されたサンプリングデータｘbiに基づいて差分データΔiが、
ｘbi−ｘai＝Δi
として計算される。ここで、差分データΔi は２４ビット又はそれ以下である。
【００２４】
続くパッキングエンコーダ７はＡ／Ｄコンバータ２によりＡ／Ｄ変換されたデータ列ｘaiと、差分計算器６により計算された差分データ列Δi と、著作権データ供給部１００からの著作権データを図８に示すような配列のユーザ・データとしてパッキングし、そのユーザ・データを出力端子８を介して出力することにより記録媒体、例えばＤＶＤ（デジタル・ビデオ・ディスク又はデジタル・バーサタイル・ディスク）に記録されたり、伝送媒体に伝送される。また、著作権データ供給部１００からの著作権データはまた、そのまま出力端子ＯＵＴ３を介して出力可能である。
【００２５】
図８に示す例では１つのユーザ・データはサブヘッダと、ｎ個のサンプリングデータｘa1〜ｘanとｎ個の差分データΔ1 〜Δn により構成され、ＤＶＤのようにユーザ・データが２０３４バイトの場合にはデータｘa1〜ｘan及び差分データΔ1 〜Δn はともに３３８個（＝ｎ）であり、サブヘッダは６バイトである。なお、ＤＶＤではユーザデータはパケットといい、サブヘッダはパケットヘッダという。
【００２６】
次に、図９を参照してデコーダＤＥＣ２について説明する。入力端子９を介して入力されたユーザデータはアンパッキングデコーダ１０に印加されるとともに、著作権データ書き換え部３０、スイッチ２１及びデジタル出力端子（ビットストリーム出力端子）２２を介して出力可能である。アンパッキングデコーダ１０ではデータ列ｘaiと差分データ列Δi 、更に著作権データが分離される。そして、データ列ｘaiは加算器１１とレベル制御部１１８に印加され、更に遅延器１２２を介して加算器１２０に印加される。また、差分データ列Δi は加算器１１に印加され、また、著作権データは暗号解読部２０とＦＭ変調器１１４に印加される。
【００２７】
加算器１１では、
Δi ＋ｘai＝ｘbi
が算出され、このデータ列ｘbiが補間処理回路１２とスイッチ１３に印加される。なお、このデータ列ｘbiの各データのビット数は２４ビットである。補間処理回路１２ではデータ列ｘbiの複数のデータを用いてその間のデータ列ｘciが補間される。例えばアップサンプリング方法を用いて、それぞれに０データを埋めてローパスフィルタを通過させることにより、補間データ列ｘciを求めることができる。続くスイッチ１３ではクロック発生器１４からの９６ｋＨｚのサンプリングクロック２ｆに基づいてデータ列ｘbi、ｘciが交互に選択される。したがって、図６に示すエンコーダＥＮＣ２において９６ｋＨｚのサンプリング周波数によりＡ／Ｄ変換されたデータ列（ｘbi、ｘci）に復元され（図１０参照）、このデータ列（ｘbi、ｘci）は遅延器１２３を介して加算器１２１に印加される。
【００２８】
著作権データ書き換え部３０の出力信号は、もう１つのアンパッキングデコーダ１０’に入力され、サブヘッダから再生された著作権データがＦＭ変調器１１４に与えられる。ＦＭ変調器１１４では、著作権データが発振器１１５からの例えば５ｋＨｚの周波数により変調される。次いでこの変調された信号は、Ｄ／Ａ変換されても聞き取れないように拡散変調器１１６により拡散符号１１７を用いて、その周波数スペクトラムが広く拡散されて低レベルにされ、更に、レベル制御部１１８ではデータ列ｘbiのレベルに応じてそのレベルが制御される。そして、この変調データは加算器１２１に印加されるとともに、間引き回路１１９により１つおきに間引かれて加算器１２０に印加される。あるいはレベル制御部１１８ではデータ列ｘbiの周波数スペクトラムレベルに応じてその周波数スペクトラムレベルが制御される。
【００２９】
遅延器１２２の出力データ列ｘaiはそのままの状態でデジタル出力端子２３を介して出力される。また、加算器１２０では遅延器１２２の出力データ列ｘaiに対して、間引き回路１１９からの変調データが埋め込まれ、このデータ列ｘai’はＤ／Ａコンバータ１５により４８ｋＨｚのサンプリング周波数ｆに基づいてＤ／Ａ変換され、アナログ出力端子１７を介して出力される。
【００３０】
また、遅延器１２３の出力データ列（ｘbi、ｘci）はそのままの状態でデジタル出力端子２４を介して出力される。また、加算器１２１では遅延器１２２の出力データ列（ｘbi、ｘci）に対して、レベル制御部１１８からの変調データが埋め込まれ、このデータ列（ｘbi、ｘci）’はＤ／Ａコンバータ１６により９６ｋＨｚのサンプリング周波数２ｆに基づいてＤ／Ａ変換され、アナログ出力端子１８を介して出力される。
【００３１】
したがって、４８ｋＨｚによりＡ／Ｄ変換され、圧縮して記録媒体に記録されている比較的低品質のデジタルデータｘaiと、９６ｋＨｚによりＡ／Ｄ変換されて記録媒体に記録され、デコードされた比較的高品質のデジタルデータ（ｘbi、ｘci）はそのままでは出力されず、変調データが埋め込まれたデジタルデータｘai’、（ｘbi、ｘci）’として出力される。
【００３２】
また、この実施形態では、媒体を介して伝送されて入力端子９を介して入力されたビットストリームは、そのままの状態で著作権データ書き換え部３０、スイッチ２１及びビットストリーム出力端子２２を介して出力可能である。また、端子１９は変換器２００を介してパソコン６０３に接続され、コピー（録音）許可要求信号や再生許可要求信号を出力したり、コピー（録音）許可信号や再生許可信号が入力する。暗号解読部２０はこの端子１９を介して入出力信号やアンパッキングデコーダ１０からの著作権データに基づいてスイッチ２１をオンにするとともに著作権データ書き換え部３０を制御する。
【００３３】
また、この実施形態では暗証番号発生部１２５を有し、この暗証番号は出力端子１２６を介して出力される。更に、出力端子２３Ｂ、２４Ｂからはそれぞれクロックｆ、２ｆが出力される。
【００３４】
そして、図５に示すように記録再生装置５００ａ、５００ｂの端子１９と、暗証番号出力端子１２６と、ビットストリーム入力端子９とビットストリーム出力端子２２が図１２に詳しく示す変換器２００ａ、２００ｂとＩＥＥＥ１３９４バスラインＢＬを介して接続される。ここで、コピー先５００ｂのビットストリーム入力端子９に入力したデータは不図示の例えば光ピックアップに送られ、コピー先の媒体に記録される。
【００３５】
また、記録再生装置５００ａ、５００ｂはともに図１１に詳しく示すエンコーダＥＮＣ２’を有する。このエンコーダＥＮＣ２’は図６に示すエンコーダＥＮＣと略同一であり、アナログ入力端子１と、デジタル入力端子１Ｆ、２Ｆとクロック入力端子５Ａ、５Ｂを有する。アナログ入力端子１はコピー元５００ａのアナログ出力端子１７、１８（図９参照）や他のマイクロホンやアナログ再生装置からのアナログ信号が入力可能であり、このアナログ信号はＡ／Ｄコンバータ２、３によりＡ／Ｄ変換される。このＡ／Ｄコンバータ２、３によりＡ／Ｄ変換された各データはそれぞれスイッチＳＷ１、ＳＷ２、４を介して差分計算器６及びパッキングエンコーダ７に印加される。
【００３６】
また、デジタル入力端子１Ｆ、２Ｆとクロック入力端子５Ａ、５Ｂは、それぞれコピー元５００ａのデジタル出力端子２３、２４とクロック出力端子２３Ｂ、２４Ｂに接続される。そして、デジタル入力端子１Ｆ、２Ｆを介して入力した各データはそれぞれスイッチＳＷ１、ＳＷ２、４を介して差分計算器６及びパッキングエンコーダ７に印加され、また、クロック入力端子５Ａ、５Ｂを介して入力したクロックｆ、２ｆはクロック発生器５に印加される。クロック発生器５はこの入力クロックｆ、２ｆにロックするＰＬＬ回路を有し、デジタル入力端子１Ｆ、２Ｆを介して入力した各データを選択するようにスイッチＳＷ１、ＳＷ２を切り替える。
【００３７】
変換器２００は図１２に示すようにＣＰＵ２０６と、物理層処理部２０２と、リンク層処理部２０３と、コントローラ２０４と、バッファメモリ２０５とラッチ２０７〜２１０を有し、ラッチ２０７〜２１０はそれぞれ端子１９、暗証番号出力端子１２６、ビットストリーム出力端子２２、ビットストリーム入力端子９に接続される。バスラインＢＬ上の暗証番号やビットストリームなどのデータは、物理層処理部２０２、リンク層処理部２０３を介してコントローラ２０４に到達すると、コントローラ２０４及びバッファメモリ２０５により仕分けされ、パラレルデータでラッチ２０７、２０９、２１０に供給される。なお、コピー先の記録再生装置５００ｂは例えばＤＡＴ（デジタルオーディオテープ）レコーダを用いてＰＣＭデータを記録することができる。また、伝送インタフェースとしてＩＥＥＥ１３９４シリアルバスの代わりに、ＳＣＳＩパラレルバスを用いてもよい。また、ＩＥＥＥ１３９４シリアルバスの代わりに、ＵＳＢ（ユニバーサル・シリアル・バス）を用いてもよい。
【００３８】
次に、図１３を参照してコピー（再生＋録音）時に著作権料を課金する処理について説明する。先ず、図５において、コピー元５００ａの再生ボタンが押下されると共にコピー先５００ｂの録音ボタンが押下されると、コピー元５００ａの暗号解読部２０により記録媒体４０１からＩＳＲＣコードとＳＩＤコードが検出され、端子１９、変換器２００ａを介してパソコン６０３に送られる。パソコン６０３では電子マネー６０７にあらかじめ記録されているユーザコードを読み出し、ＩＳＲＣコード及びＳＩＤコードと録音許可要求信号と共にホスト６０８に送る。
【００３９】
ホスト６０８では録音許可要求信号を受け取ると図１３に示す処理をスタートし（ステップＳ１００）、ＩＳＲＣコードとＳＩＤコードを受け取るとＳＩＤコードが真正か否かをチェックする（ステップＳ１０１→Ｓ１０２）。そして、ＹＥＳの場合には録音料（例えば３００円）をそのユーザコードに課金し（ステップＳ１０３）、次いで録音許可信号をパソコン６０３に送信する（ステップＳ１０４）。他方、ステップＳ１０２においてＳＩＤコードが真正でない場合には録音不許可信号をパソコン６０３に送信する（ステップＳ１０５）。
【００４０】
パソコン６０３では録音許可信号を受け取った場合にはこれを変換器２００ａ、２００ｂを介してそれぞれコピー元５００ａ、コピー先５００ｂに送り、再生ボタン、録音ボタンを有効にする。また、録音不許可信号を受け取った場合には再生、録音を無効にする。
【００４１】
ここで、録音の際に課金する著作権料としてはＩＳＲＣコード、すなわち楽曲毎にあらかじめ定められた料金を課金することができる。また、課金した著作権料を保存する方法としては、ホスト６０８側のメモリに保存したり、ユーザ側の電子マネー６０７に保存することができる。そして、徴収する方法としては、ユーザコードと支払い口座をホスト６０８側にあらかじめ登録し、課金した著作権料をホスト６０８側のメモリに保存する場合には、例えば１月毎にその口座から徴収することができ、また、課金した著作権料をユーザ側の電子マネー６０７に保存する場合には、例えば１月毎にホスト６０８がパソコン６０３からポーリング方式でその著作権料データを受け取ってその口座から徴収することができる。また、著作権料を課金、徴収する他の方法として「ＥＭＶ」規格のプリペイド方式を用いることができる。
【００４２】
図１４は変形例として、再生時に著作権料を課金する処理を示している。ここで、説明を簡略にするためにユーザは図５において再生機能（デコーダＤＥＣ２）のみを有する再生装置５００（及び変換器２００、パソコン６０３）を保有するものとする。再生装置５００の再生ボタンが押下されると、再生装置５００の暗号解読部２０により記録媒体４０１からＩＳＲＣコードとＳＩＤコードが検出され、端子１９、変換器２００ａを介してパソコン６０３に送られる。パソコン６０３では電子マネー６０７にあらかじめ記録されているユーザコードを読み出し、ＩＳＲＣコード及びＳＩＤコードと再生許可要求信号と共にホスト６０８に送る。
【００４３】
ホスト６０８では再生許可要求信号を受け取ると図１４に示す処理をスタートし（ステップＳ２００）、ＩＳＲＣコードとＳＩＤコードを受け取るとＳＩＤコードが真正か否かをチェックする（ステップＳ２０１→Ｓ２０２）。そして、ＹＥＳの場合には再生料（例えば３０円）をそのユーザコードに課金し（ステップＳ２０３）、次いで再生許可信号をパソコン６０３に送信する（ステップＳ２０４）。他方、ステップＳ２０２においてＳＩＤコードが真正でない場合には再生不許可信号をパソコン６０３に送信する（ステップＳ２０５）。パソコン６０３では再生許可信号を受け取った場合にはこれを変換器２００を介して再生装置５００に送り、再生ボタンを有効にする。また、再生不許可信号を受け取った場合には再生を無効にする。
【００４４】
再生の場合には、一度再生した後は「消える」ようにして利用者の端末で無断コピーできないようにすることが望まれるので、再生端末５００ｂでは著作権データ書き換え部３０によりＩＳＲＣコード、ＳＩＤコード、及びコピー回数などの著作権データはすべて消去され、コピー禁止コードがコピー禁止に設定される。あるいは、さらに、著作権データの中にユーザＩＤと許可の年月日が加えられるようにすれば、この新たな著作権データがアナログ出力信号に付加され、コピーを抑制するようにできる。
【００４５】
図１５は他の変形例として、再生時とコピー（再生＋録音）時に異なる著作権料を課金する処理を示している。ここで、パソコン６０３はホスト６０８に対し、ユーザが再生のみを希望する場合には再生許可要求信号を送信し、他方、コピーを希望する場合には録音許可要求信号を送信する。ホスト６０８は再生／録音許可要求信号を受け取ると図１５に示す処理をスタートし（ステップＳ３００）、ＩＳＲＣコードとＳＩＤコードを受け取るとＳＩＤコードが真正か否かをチェックする（ステップＳ３０１→Ｓ３０２）。そして、ＳＩＤコードが真正でない場合には再生／録音不許可信号をパソコン６０３に送信する（ステップＳ３０８）。
【００４６】
他方、ＳＩＤコードが真正な場合には再生許可要求信号か又は録音許可要求信号をチェックする（ステップＳ３０３）。そして、録音許可要求信号の場合には録音料（例えば３００円）をそのユーザコードに課金し（ステップＳ３０４）、次いで録音許可信号をパソコン６０３に送信する（ステップＳ３０５）。他方、再生許可要求信号の場合には再生料（例えば３０円）をそのユーザコードに課金し（ステップＳ３０６）、次いで再生許可信号をパソコン６０３に送信する（ステップＳ３０７）。
【００４７】
次に、図１６〜図１９を参照して第２の実施形態について説明する。このシステムは概略的に著作権料管理センタ６０８ａと、ソフト送信センタ８００とユーザ側８０１により構成され、３者はインターネットなどの通信回線を介して接続される。このシステムではミュージックオンデマンド方式により、ソフト送信センタ８００が楽曲をユーザ側８０１に供給する見返りに、著作権料管理センタ６０８ａがソフト送信センタ８００から著作権料を課金、徴収するように構成されている。
【００４８】
ソフト送信センタ８００には第１の実施形態に示す記録再生装置５００ａと、変換器２００ａと、パソコン６０３と、カード読取装置６０６及びカード型電子マネー６０７が設けられ、また、複数の記録媒体４０１を選択的に再生するためのオートチェンジャが設けられている。ユーザ側８０１は再生装置５００ｂと、変換器２００ｂと、パソコン７０３と、ＤＶＤプレーヤと、オーディオ用のアンプ８０２及びスピーカ８０３などを保有する。
【００４９】
次に、図１７、図１８を参照して著作権料の課金処理を説明する。ユーザがパソコン７０３に対して暗号とリクエスト曲を入力すると、先ず、図１７に示すようにパソコン７０３からソフト送信センタ８００のパソコン６０３に対して曲名のリクエストを行い（ステップＳ２１１）、待機する（ステップＳ２１２）。ソフト送信センタ８００側では図１８（ａ）に示すように、ユーザ側８０１からリクエストされた楽曲が記録された記録媒体４０１を検索した後、再生してその曲名のＩＳＲＣコードとＳＩＤコードを検出し（ステップＳ２２１）、著作権管理センタ６０８ａに送る（ステップＳ２２２）。
【００５０】
著作権管理センタ６０８ａの処理は第１の実施形態におけるホスト６０８の再生時の処理とほぼ同様であり、図１８（ｂ）に示すように、先ず、ソフト送信センタ８００からＩＳＲＣコードとＳＩＤコードを受信するとＳＩＤコードが真正か否かをチェックする（ステップＳ２０１→Ｓ２０２）。そして、ＹＥＳの場合には再生料をそのソフト送信センタ８００に対して課金し（ステップＳ２０３）、次いで再生許可信号をソフト送信センタ８００に送信する（ステップＳ２０４）。他方、ステップＳ２０２においてＳＩＤコードが真正でない場合には再生不許可信号をソフト送信センタ８００に送信する（ステップＳ２０５）。
【００５１】
ソフト送信センタ８００では図１８（ａ）に示すように、著作権管理センタ６０８ａから再生許可信号を受信した場合には、再生料を著作権管理センタ６０８ａに対して支払う処理を実行し（ステップＳ２２３→Ｓ２２４）、次いでその楽曲を再生してビットストリーム信号（ＰＣＭ信号でもよい）でユーザ側に送信する（ステップＳ２２５）。他方、再生不許可信号を受信した場合には再生を行うことなくこの処理を終了する。なお、この場合には「すみません。ご希望の曲は現在送信できません。」のようなコメントを送るようにしてもよい。ユーザ側では図１７に示すように、ソフト送信センタから送信された情報を受信し、リクエストした曲を受信した場合にはそのビットストリーム信号をアナログで再生する（ステップＳ２１３）。
【００５２】
図１９は第２の実施形態におけるソフト送信センタ８００の処理の変形例を示している。この処理では図１８（ａ）に示す処理に対してステップＳ２２６が追加され、リクエストされた曲をユーザ側に送信する場合には、その対価としてユーザに請求書を発行することにより、再生料を徴収する。
【００５３】
次に、図２０〜図２３を参照してＳＩＤコードの他の記録方法を説明する。上記実施形態ではＳＩＤコードなどをディスクのＲＡＭ領域に記録するようにしたが、この実施形態では図２０に示すようにリードイン部より内周側に設けられたＰＣＡ（ポスト・カッティング・エリア）にレーザカッティングにより書き込む。この場合の信号は、図２１に示すようにＲＺ（Return to Zero）信号であってビット「１」「０」に応じて位相が異なるＰＥ（Phase Encoding）信号で変調され、ピットデータ（バーコード）として記録される。
【００５４】
この書き込みはディスクのスタンピング（成形プロセス）の後、図２２に示すようなレーザカッティング部８０７を用いて数秒程度のレーザカッティングプロセスで実現することができるので、ディスクの生産性が悪化することもない。図２２及び図２３を参照して書き込み方法を説明すると、先ず、前述した著作権情報が著作権符号化回路８０５に入力すると（ステップＳ２１）、著作権情報が著作権符号化回路８０５によりスクランブル処理され（ステップＳ２２）、次いで所定の形式にフォーマッティングされ（ステップＳ２３）、次いでＰＥ−ＲＺ信号に変換される（ステップＳ２４）。次いでレーザカッティング部８０７によりレーザビームをＰＥ−ＲＺ信号により変調してディスクのＰＣＡに書き込む（ステップＳ２５）。
【００５５】
また、上記実施例においてカード型電子マネーが、単にキャッシュカードとしての機能を持つものとして説明したが、このカード型電子マネーには、さらに、ユーザのインターネットＩＤコードを入れ、１枚のカードでパソコン６０３に対してインターネットの自動接続を行わせるようにしてもよく、これによって１枚のカードを不要にでき、あるいは、また、さらにホストのインターネットＩＤコードを記録させ、自動的にホストに接続するようにしてもよい。これによって、接続が自動化され、利用者のわずらわしさを低減することができる。
【００５６】
【発明の効果】
以上説明したように本発明によれば、ＤＶＤフォーマットとしてのデータ記録構造を有するＤＶＤからコピー、再生を行う情報の著作権情報を当該ＤＶＤにあらかじめ書き込んでおき、この著作権情報を検出して、真正か否かをチェックし、真正な場合にコピー、再生を許可してその情報に対する著作権料を課金するようにしたので、簡単なコピープロテクトキーで課金することができ、また、不正に製造される複製物（いわゆる海賊版）を抑制することができる。
【図面の簡単な説明】
【図１】本発明に係るＤＶＤの著作権料課金方法の一実施形態を実現するためのフォーマットを示す説明図である。
【図２】図１の著作権管理情報の内容を詳しく示す説明図である。
【図３】他のフォーマットを示す説明図である。
【図４】更に他のフォーマットを示す説明図である。
【図５】本発明に係るＤＶＤの著作権料課金方法の一実施形態を実現するための主要装置を示すブロック図である。
【図６】ＤＶＤ−オーディオを作製するためのエンコーダを示すブロック図である。
【図７】図６の２つのＡ／Ｄコンバータのサンプリング周期及びデータ列を示す説明図である。
【図８】図６のパッキングエンコーダによりパッキングされたユーザ・データを示す説明図である。
【図９】図５の記録再生装置内のデコーダを示すブロック図である。
【図１０】図９のデコーダによりデコードされたデータ列及びサンプリング周期を示す説明図である。
【図１１】図５の記録再生装置内のエンコーダを詳細に示すブロック図である。
【図１２】図５の変換器を詳細に示すブロック図である。
【図１３】コピー時の図５のホストの処理を説明するためのフローチャートである。
【図１４】再生時の図５のホストの処理を説明するためのフローチャートである。
【図１５】再生／コピー時の図５のホストの処理を説明するためのフローチャートである。
【図１６】本発明に係るＤＶＤの著作権料課金方法の第２の実施形態を実現するための主要装置を示すブロック図である。
【図１７】図１６のユーザ側再生装置の処理を説明するためのフローチャートである。
【図１８】図１６のソフト送信センタと著作権管理センタの処理を説明するためのフローチャートである。
【図１９】図１６のソフト送信センタの処理の変形例を説明するためのフローチャートである。
【図２０】他の著作権管理情報エリアとしてＰＣＡを示す説明図である。
【図２１】図２０のＰＣＡへの書き込み信号を示す説明図である。
【図２２】図２０のＰＣＡへの書き込み装置を示すブロック図である。
【図２３】図２２の書き込み装置の処理を説明するためのフローチャートである。
【符号の説明】
２００ａ、２００ｂ  変換器
４０１  記録媒体（ＤＶＤ）
５００ａ  記録再生装置（再生装置）
５００ｂ  記録再生装置（記録装置）
６０３  パソコン
６０６  カード読取装置
６０７  カード型電子マネー
６０８  ホスト装置
６０８ａ  著作権管理センタ（著作権料課金側）
８００  ソフト供給センタ（情報供給側）
８０１  ユーザ側
【図１】
0003693442.tif 000002
【図２】
0003693442.tif 000003
【図３】
0003693442.tif 000004
【図４】
0003693442.tif 000005
【図５】
0003693442.tif 000006
【図６】
0003693442.tif 000007
【図７】
0003693442.tif 000008
【図８】
0003693442.tif 000009
【図９】
0003693442.tif 000010
【図１０】
0003693442.tif 000011
【図１１】
0003693442.tif 000012
【図１２】
0003693442.tif 000013
【図１３】
0003693442.tif 000014
【図１４】
0003693442.tif 000015
【図１５】
0003693442.tif 000016
【図１６】
0003693442.tif 000017
【図１７】
0003693442.tif 000018
【図１８】
0003693442.tif 000019
【図１９】
0003693442.tif 000020
【図２０】
0003693442.tif 000021
【図２１】
0003693442.tif 000022
【図２２】
0003693442.tif 000023
【図２３】
0003693442.tif 000024